(57)【要約】      （修正有）【課題】複数の電力遮断素子を有する電子機器においても、高い分解能を必要とせずに故障個所を特定する技術を提供する。【解決手段】電力供給ラインにそれぞれ配置され、異常時に電力供給を遮断するＮ個（Ｎは２以上の整数）の電力遮断素子ＦＵ１〜ＦＵ３・・・と、電力供給ラインの電圧が規定レベルになったことを検知する検知手段１０４と、Ｎ個の電力遮断素子のそれぞれの下流側に配置され、各対応する電力遮断素子から出力される電圧レベルを検知して、それぞれ所定の電圧を出力するＮ個の電圧監視手段１０５〜１０７・・・とを有する。検知手段が電力供給ラインの電圧レベルが規定レベルになったことを検知してから、電力供給ラインの電圧が所定電圧に到達するまでの期間にＮ個のタイミングを設定し、Ｎ個のタイミングのそれぞれでＮ個の電圧監視手段から出力される電圧に基づいて、異常が発生している電力遮断素子を識別する。【選択図】図１
2020089138.tif 000002
【特許請求の範囲】
【請求項１】
電源装置から電力が供給される電力供給ラインにそれぞれ配置され、異常時に下流側への電力供給を遮断するＮ個（Ｎは２以上の整数）の電力遮断素子と、
前記電源装置と前記Ｎ個の電力遮断素子との間に配置され前記電力供給ラインの電圧が規定レベルになったことを検知する検知手段と、
前記Ｎ個の電力遮断素子のそれぞれの下流側に配置され、各対応する電力遮断素子から出力される電圧レベルを検知して、それぞれ所定の電圧を出力するＮ個の電圧監視手段と、
前記検知手段が前記電力供給ラインの電圧レベルが前記規定レベルになったことを検知してから前記電力供給ラインの電圧が所定電圧に到達するまでの期間にＮ個のタイミングを設定し、前記Ｎ個のタイミングのそれぞれで前記Ｎ個の電圧監視手段から出力される電圧に基づいて、異常が発生している電力遮断素子を識別する制御手段と、
を有することを特徴とする電子機器。
【請求項２】
前記制御手段は、前記Ｎ個の電圧監視手段の出力がワイヤドＯＲされた線の電圧に基づいて、前記異常が発生している電力遮断素子の下流側に配置されている電圧監視手段を特定して、前記異常が発生している電力遮断素子を識別することを特徴とする請求項１に記載の電子機器。
【請求項３】
前記Ｎ個の電圧監視手段はそれぞれ、前記各対応する電力遮断素子から出力される電圧が、各対応する規定の電圧になると当該規定の電圧を出力し、前記各対応する規定の電圧は互いに異なることを特徴とする請求項１又は２に記載の電子機器。
【請求項４】
前記Ｎ個のタイミングは、前記電源装置が起動時に出力する電圧の時間変化量と、前記Ｎ個の電圧監視手段が検知する前記規定の電圧に基づいて決定されることを特徴とする請求項３に記載の電子機器。
【請求項５】
前記Ｎ個の電圧監視手段のそれぞれから出力される電圧に基づいてパルスを発生するＮ個の回路を、更に有し、
前記制御手段は、前記Ｎ個のタイミングで前記Ｎ個の回路のいずれかから前記パルスが発生されない場合に、当該パルスを発生しない回路に対応する電力遮断素子を識別することを特徴とする請求項１乃至４のいずれか１項に記載の電子機器。
【請求項６】
前記Ｎ個のタイミングを示す情報を記憶する記憶手段を、更に有することを特徴とする請求項１乃至５のいずれか１項に記載の電子機器。
【請求項７】
前記情報に基づいて前記Ｎ個のタイミングを示す時間を特定する計時手段を、更に有することを特徴とする請求項６に記載の電子機器。
【請求項８】
前記Ｎ個の電圧監視手段はそれぞれ、前記各対応する電力遮断素子から出力される電圧を分圧する分圧抵抗と、前記分圧抵抗により分圧された電圧に基づいてオン／オフするトランジスタとを含むことを特徴とする請求項１乃至７のいずれか１項に記載の電子機器。
【請求項９】
前記Ｎ個の電圧監視手段はそれぞれ、前記各対応する電力遮断素子から出力される電圧をツェナーダイオードを介した電圧に基づいてオン／オフするトランジスタとを含み、前記ツェナーダイオードは、逆電圧が互いに異なるツェナーダイオードであることを特徴とする請求項１乃至７のいずれか１項に記載の電子機器。
【請求項１０】
前記制御手段により前記異常が発生していると識別された電力遮断素子の情報を表示する表示手段を、更に有することを特徴とする請求項１乃至９のいずれか１項に記載の電子機器。
【請求項１１】
前記電力遮断素子は、定格を超える電流が流れることにより溶断するヒューズを含むことを特徴とする請求項１乃至１０のいずれか１項に記載の電子機器。
【請求項１２】
電源装置から電力が供給される電力供給ラインにそれぞれ配置され、異常時に下流側への電力供給を遮断するＮ個（Ｎは２以上の整数）の電力遮断素子と、
前記電源装置と前記Ｎ個の電力遮断素子との間に配置され前記電力供給ラインの電圧が規定レベルになったことを検知する検知部と、
前記Ｎ個の電力遮断素子のそれぞれの下流側に配置され、各対応する電力遮断素子から出力される電圧レベルを検知して、それぞれ所定の電圧を出力するＮ個の電圧監視部とを有する電子機器における故障個所の特定方法であって、
前記検知部が前記電力供給ラインの電圧レベルが前記規定レベルになったことを検知してから前記電力供給ラインの電圧が所定電圧に到達するまでの期間にＮ個のタイミングを設定する工程と、
前記Ｎ個のタイミングのそれぞれで前記Ｎ個の電圧監視部から出力される電圧の変化を監視する工程と、
前記Ｎ個のタイミングのいずれかで電圧の変化が検出できない場合、当該電圧の変化が検出できないタイミングに対応する電圧監視部の上流に接続されている電力遮断素子に異常が発生していると特定する工程と、
を有することを特徴とする故障個所の特定方法。
【請求項１３】
前記電圧の変化の検出は、前記電圧の上昇の検出であることを特徴とする請求項１２に記載の故障個所の特定方法。
【請求項１４】
前記電圧の変化の検出は、前記電圧の変化に伴って発生されるパルスの検出であることを特徴とする請求項１２に記載の故障個所の特定方法。
【請求項１５】
コンピュータに、請求項１２乃至１４のいずれか１項に記載の故障個所の特定方法の各工程を実行させるためのプログラム。
【発明の詳細な説明】
【技術分野】
【０００１】
本発明は、電子機器と前記電子機器における故障箇所の特定方法、及びプログラムに関する。
【背景技術】
【０００２】
画像形成装置は用紙を搬送するためのアクチュエータや、用紙の搬送経路の切り替えを行うソレノイドなど、多数の駆動負荷を搭載している。そうした駆動負荷に異常が発生して、駆動負荷に電力を供給する電線や電気基板に過剰電流が流れ続けて発熱や発火などの危険な状態が発生するのを防ぐために、電力の供給を遮断するヒューズを、電力を供給する電気基板に設けている。そのヒューズが溶断した場合、どのヒューズが溶断しているかを検出することは、異常が発生した箇所を特定するために重要である。例えば特許文献２には、ヒューズの下流の電圧レベルを検出することで、ヒューズが溶断しているか否かを判定する技術が記載されている。
【０００３】
しかしながら、上記先行技術ではヒューズの数が多い大きなシステム等では、ヒューズの数だけＣＰＵなどに電圧モニタの検出信号を入力する必要があり、ＣＰＵのピン数が多くなって小型化、低コスト化が実現できないという課題があった。
【０００４】
また特許文献１には、異常時にトランジスタがオンして抵抗の分圧比を変化させ、ＣＰＵが電圧レベルをアナログ値で検出することで、アナログ電圧を検出する１ピンのみで異常個所を特定する技術が記載されている。
【先行技術文献】
【特許文献】
【０００５】
【特許文献１】特開２０１８−２３２４４号公報
【特許文献２】特開２００７−１５１２６２号公報
【発明の概要】
【発明が解決しようとする課題】
【０００６】
しかしながら、上記従来技術では、ヒューズが複数同時に溶断した場合、溶断しているヒューズの組み合わせ数は２（ヒューズの個数）となる。このため、従来技術のアナログ電圧レベルで異常個所を特定するためには、２（ヒューズの個数）以上の分解能が無いと複数の異常個所の特定は不可能である。しかし、このように検出の分解能を大きくすることは、高性能なＣＰＵが要求され、コストの増大を招くという課題があった。
【０００７】
本発明の目的は、上記従来技術の問題点の少なくとも一つを解決することにある。
【０００８】
本発明の目的は、複数の電力遮断素子を有する電子機器においても、高い分解能を必要とせずに故障個所を特定する技術を提供することにある。
【課題を解決するための手段】
【０００９】
上記目的を達成するために本発明の一態様に係る電子機器は以下のような構成を備える。即ち、
電源装置から電力が供給される電力供給ラインにそれぞれ配置され、異常時に下流側への電力供給を遮断するＮ個（Ｎは２以上の整数）の電力遮断素子と、
前記電源装置と前記Ｎ個の電力遮断素子との間に配置され前記電力供給ラインの電圧が規定レベルになったことを検知する検知手段と、
前記Ｎ個の電力遮断素子のそれぞれの下流側に配置され、各対応する電力遮断素子から出力される電圧レベルを検知して、それぞれ所定の電圧を出力するＮ個の電圧監視手段と、
前記検知手段が前記電力供給ラインの電圧レベルが前記規定レベルになったことを検知してから前記電力供給ラインの電圧が所定電圧に到達するまでの期間にＮ個のタイミングを設定し、前記Ｎ個のタイミングのそれぞれで前記Ｎ個の電圧監視手段から出力される電圧に基づいて、異常が発生している電力遮断素子を識別する制御手段と、を有することを特徴とする。
【発明の効果】
【００１０】
本発明によれば、複数の電力遮断素子を有する電子機器においても、高い分解能を必要とせずに、電力遮断素子が遮断した故障個所を特定することができる。
【００１１】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１２】
添付図面は明細書に含まれ、その一部を構成し、本発明の実施形態を示し、その記述と共に本発明の原理を説明するために用いられる。
【図１】本発明の実施形態１に係る画像形成装置の主要部のハードウェア構成を説明するブロック図。
【図２】実施形態１の変形例である画像形成装置の主要部のハードウェア構成を説明するブロック図。
【図３】実施形態１において、いずれのヒューズも溶断していない場合に、電源装置が出力する電圧ＶｙとＣＰＵが検出するアナログ電圧Ｖｘとの関係を示す図。
【図４】実施形態１において、ヒューズＦＵ１のみが溶断している場合に電源装置が出力するＶｙとＶｘの関係を示す図。
【図５】ヒューズＦＵ２とＦＵ３がともに溶断していた場合に電源装置が出力するＶｙとＶｘの関係を示す図。
【図６】実施形態１に係る画像形成装置における異常箇所を特定する処理を説明するフローチャート。
【図７】実施形態２に係る画像形成装置の主要部のハードウェア構成を説明するブロック図。
【図８】実施形態２に係るワンショット回路の動作を説明する図。
【図９】実施形態２において、いずれのヒューズも溶断していない場合に、電源装置が出力する電圧ＶｙとＣＰＵが検出するラインのパルス信号Ｖｐとの関係を説明する図。
【図１０】実施形態２において、ヒューズＦＵ１のみが溶断している場合のＶｙとVｐの関係を示す図。
【発明を実施するための形態】
【００１３】
以下、添付図面を参照して本発明の実施形態を詳しく説明する。尚、以下の実施形態は特許請求の範囲に係る本発明を限定するものでするものでなく、また本実施形態で説明されている特徴の組み合わせの全てが本発明の解決手段に必須のものとは限らない。以下、本発明の実施形態に係る異常判定回路及び異常判定方法を、本発明に係る電子機器の実施形態である画像形成装置に適応した例を、図面を参照して説明する。
【００１４】
図１は、本発明の実施形態１に係る画像形成装置の主要部のハードウェア構成を説明するブロック図である。
【００１５】
モータ１０９は用紙を搬送するためなどの駆動源として使用され、ファン１１１は画像を定着させた用紙を冷却したり、機内の空気を循環させたりするためなどに用いられる。またソレノイド１１３は、用紙の搬送経路の切り替えなどに用いられる。
【００１６】
電源装置１００は、ヒューズ（電力遮断素子）ＦＵ１を介してモータ駆動回路１０８に電力を供給し、モータ駆動回路１０８は、ＣＰＵ１０１からの指令に従ってモータ１０９に電力を供給してモータ１０９を回転駆動する。また電源装置１００は、ヒューズＦＵ２を介してファン駆動回路１１０に電力を供給し、ファン駆動回路１１０はＣＰＵ１０１からの指令に従ってファン１１１に電力を供給してファン１１１を回転駆動する。更に電源装置１００は、ヒューズＦＵ３を介してソレノイド駆動回路１１２に電力を供給し、ソレノイド駆動回路１１２はＣＰＵ１０１からの指令に従ってソレノイド１１３に電力を供給してソレノイド１１３を駆動する。これらヒューズＦＵ１，ＦＵ２，ＦＵ３は、定格を超える過大な電流が流れると溶断して下流側への電力の供給を遮断する。タイマ１１４は、ＣＰＵ１０１の指示に従って、時間の計時を行い、その計時結果をＣＰＵ１０１に伝える。
【００１７】
電圧監視部１０４は、電源装置１００が電力を供給する電力供給ラインの電圧レベルを監視し、電圧レベルが規定電圧（Ｖ１）以上になるとトランジスタＱ１をオンする。電圧監視部１０４が監視する電圧レベルＶ１は、抵抗Ｒ１とＲ２の分圧比によって決定され、０Ｖから電源装置１００が出力する電圧レベルＶａの間で、時間変化量に応じて自由に設定することができる。
【００１８】
電圧監視部１０５は、ヒューズＦＵ１の下流に配置され、ヒューズＦＵ１の下流の電圧レベルを監視する。電圧監視部１０５は、電圧レベルが所定の電圧（Ｖ２）以上になるとトランジスタＱ２をオンする。これにより所定の電圧（Ｖ２）がトランジスタＱ２を介して出力される。電圧監視部１０５が監視する電圧レベルＶ２は、抵抗Ｒ４とＲ５の分圧比によって決定され、０ＶからＶａの間で自由に設定することができる。
【００１９】
電圧監視部１０６は、ヒューズＦＵ２の下流に配置され、ヒューズＦＵ２の下流の電圧レベルを監視し、電圧レベルが規定電圧（Ｖ３）以上になるとトランジスタＱ３をオンする。これにより所定の電圧（Ｖ３）がトランジスタＱ３を介して出力される。電圧監視部１０６が監視する電圧レベルＶ３は、抵抗Ｒ７とＲ８の分圧比によって決定され、０ＶからＶａの間で自由に設定することができる。
【００２０】
更に電圧監視部１０７は、ヒューズＦＵ３の下流に配置され、ヒューズＦＵ３の下流の電圧レベルを監視し、電圧レベルが規定電圧（Ｖ４）以上になるとトランジスタＱ４をオンする。これにより所定の電圧（Ｖ４）がトランジスタＱ４を介して出力される。電圧監視部１０７が監視する電圧レベルＶ４は、抵抗Ｒ１０とＲ１１の分圧比によって決定され、０ＶからＶａの間で自由に設定することができる。ここで、それぞれの電圧監視部が監視する電圧Ｖ１，Ｖ２，Ｖ３，Ｖ４はそれぞれ異なる値とする。尚、ここでは、Ｖ１＜Ｖ２＜Ｖ３＜Ｖ４とした例で説明するが、例えばＶ１＞Ｖ２＞Ｖ３＞Ｖ４でもよく、本発明はこれらに限定されない。
【００２１】
また実施形態１において、抵抗の分圧比によって監視電圧を変化させてトランジスタのオン／オフを制御しているが、例えば図２のように、逆電圧の異なるツェナーダイオードを用いることで監視する電圧レベルを異なる値に設定することもできる。
【００２２】
図２は、実施形態１の変形例である画像形成装置の主要部のハードウェア構成を説明するブロック図である。図２では、電圧監視部１０４〜１０７の回路構成が図１の場合と異なるだけで、その動作などは同じである。
【００２３】
上述の電圧監視部１０４〜１０７のトランジスタＱ１〜Ｑ４がオンすることによって、Ｘで示す箇所の電圧レベルＶｘが変化する。具体的には、トランジスタのコレクタ側に接続される電源の電圧レベルがＶｂであり、オンしたトランジスタがトランジスタＱ１のみの場合、Ｖｘは以下の式（１）で表される。
【００２４】
Ｖｘ＝Ｖｂ×（Ｒ１３／（Ｒ１３＋Ｒ３））  …式（１）
また、トランジスタＱ１及びＱ２がオンしている場合、Ｖｘは以下の式（２）で表される。
【００２５】
Ｖｘ＝Ｖｂ×（Ｒ１３／（Ｒ１３＋Ｒ３//Ｒ６））  …式（２）
尚、ここで「Ｒ３//Ｒ６」は、抵抗Ｒ３とＲ６の合成抵抗を意味する。
【００２６】
以下同様に、オンするトランジスタの数が増えると、そのトランジスタのエミッタ側に接続されている抵抗が分圧抵抗として有効になることでＶｘの値が変化する。
【００２７】
ここでＣＰＵ１０１は、それぞれＶ１，Ｖ２，Ｖ３，Ｖ４を識別できるアナログ電圧の分解能を有している必要があるが、ヒューズが３つであれば分解能は４諧調以上であればよい。
【００２８】
ＣＰＵ１０１は、Ｖｘの電圧レベルと、その電圧レベルが変化したタイミングを検出し、それをメモリ１０２に記憶する。またＣＰＵ１０１は、表示部１０３に文字や画像を表示することで、ユーザに異常個所の通知を行う。
【００２９】
続いて、実施形態１の特徴であるアナログ電圧レベルの変化タイミングを用いて、溶断しているヒューズを特定する方法を図３〜図５を参照して説明する。
【００３０】
図３は、実施形態１において、いずれのヒューズも溶断していない場合に、電源装置１００が出力する電圧ＶｙとＣＰＵ１０１が検出するアナログ電圧Ｖｘとの関係を示す図である。
【００３１】
電源装置１００が起動すると、電圧Ｖｙはある程度スロープを持って徐々に高くなり、最終的に所定電圧Ｖａに到達して安定する。この電圧Ｖａに到達するまでの期間（時間）Ｔａは、電源装置１００において、ある程度設定が可能であり、ＣＰＵ１０１は、この期間Ｔａを予めメモリ１０２に記憶している。電圧Ｖｙが徐々に高くなってＶｙ＞Ｖ１となるとトランジスタＱ１がオンしてＶｘの値が変化する。このときのタイミングをＴ１とする。次に、Ｖｙ＞Ｖ２となったタイミングＴ２でトランジスタＱ２がオンしてＶｘが変化する。更に、Ｖｙ＞Ｖ３となったタイミングＴ３でトランジスタＱ３がオンしてＶｘが変化する。そして最後にＶｙ＞Ｖ４となったタイミングＴ４でトランジスタＱ４がオンしてＶｘが変化する。これらタイミングＴ１，Ｔ２，Ｔ３，Ｔ４は、Ｖａ，Ｔａ，Ｖ１，Ｖ２，Ｖ３，Ｖ４の値から推測が可能であり、ＣＰＵ１０１は、予めメモリ１０２にそれらの値を記憶しているものとする。
【００３２】
ＣＰＵ１０１は、タイミングＴ１を起点として、タイミングＴ２，Ｔ３，Ｔ４それぞれのタイミングで電圧Ｖｘが変化するかを監視し、図３のように全てのタイミングでＶｘが変化すると、いずれのヒューズも溶断していないと判定する。
【００３３】
図４は、実施形態１において、ヒューズＦＵ１のみが溶断している場合に電源装置１００が出力するＶｙとＶｘの関係を示す図である。
【００３４】
前述したように、ＣＰＵ１０１は、タイミングＴ１を起点としてＴ２，Ｔ３，Ｔ４それぞれのタイミングでＶｘが変化するかを監視し、ここではタイミングＴ２でのみＶｘが上昇していないことを検知する。この場合は、タイミングＴ２で検出するはずである電圧監視部１０５が反応していないことを示しているため、ＣＰＵ１０１は、電圧監視部１０５の上流のヒューズＦＵ１が溶断してると判定し、表示部１０３にその旨を表示してユーザに故障個所を通知する。
【００３５】
図５は、ヒューズＦＵ２とＦＵ３がともに溶断していた場合に電源装置１００が出力するＶｙとＶｘの関係を示す図である。
【００３６】
ここでは、タイミングＴ３，Ｔ４でＶｘが変化していないので、ＣＰＵ１０１はヒューズＦＵ２とＦＵ３が溶断していると検知することができる。
【００３７】
以上のように、それぞれの電圧監視部が反応するタイミングでＶｘが上昇するかを検出することにより、ヒューズの溶断箇所を特定することが可能となる。
【００３８】
尚、実施形態１では、３つのヒューズを有する構成における異常箇所の特定方法について説明したが、ヒューズの数が増えた場合でも、同様の方法でヒューズの溶断箇所を特定することができる。例えば、Ｎ個（Ｎは２以上の整数）のヒューズを有する構成では、ＣＰＵ１０１の分解能は（Ｎ＋１）諧調以上あればよい。これは、アナログ電圧のレベルだけで特定する先行技術の方法では、例えばヒューズが１０個の場合には分解能を２１０＝１０２４諧調以上必要とするのに対し、実施形態１では、必要な分解能が１１諧調となる。従って、ＣＰＵに要求される分解能を大幅に減らすことができる。
【００３９】
続いて、実施形態１に係る画像形成装置における異常箇所を特定する処理を図６のフローチャートを参照して説明する。
【００４０】
図６は、実施形態１に係る画像形成装置における異常箇所を特定する処理を説明するフローチャートである。尚、このフローチャートで示す処理は、ＣＰＵ１０１がメモリ１０２に記憶されているプログラムを実行することにより実現される。また、このフローチャートで示す処理は、電源装置１００の起動時に開始されることを想定しており、異常を検出した後の特定タイミングではなく、通常動作時に実施可能である。
【００４１】
この処理は画像形成装置の電源がオンされて電源装置１００が起動することにより開始される。まずＳ１０１でＣＰＵ１０１は、アナログ電圧Ｖｘのサンプリングを開始する。そしてＳ１０２でＣＰＵ１０１は、電圧Ｖｘが規定レベル以上変化したかどうか判定し、電圧Ｖｘが規定以上変化するとＳ１０３に進んで、タイマ１１４による計時を開始する。そしてＳ１０４でＣＰＵ１０１は、メモリ１０２に設けた変数ｎに初期値「２」を設定する。
【００４２】
そしてＳ１０５に進みＣＰＵ１０１は、タイマ１１４による計時に基づいて、予めメモリ１０２に記憶されたタイミングＴｎ（最初はＴ２）になったことを検知すると、電圧Ｖｘが規定レベル以上変化（ここでは上昇）したかどうか判定する。このタイミングＴｎで、電圧Ｖｘが規定レベル以上変化しない場合はＳ１０６に進みＣＰＵ１０１は、予めメモリ１０２に記憶されているタイミングＴｎに該当するヒューズＦＵｎが溶断していると判定し、メモリ１０２にその異常個所を示す情報を記憶してＳ１０７に進む。
【００４３】
一方、タイミングＴｎで電圧Ｖｘが規定以上変化した場合はＳ１０７に進み、変数ｎ＝ｎ＋１としてＳ１０８に進む。Ｓ１０８でＣＰＵ１０１は、（ｎ＋１）が、検知するヒューズの個数より小さい場合はＳ１０５に進み、次にタイミングＴ（ｎ＋１）で電圧Ｖｘの変化を検出する処理に進む。
【００４４】
こうしてＳ１０８でＣＰＵ１０１は、全てのヒューズの溶断検知を終了するとＳ１０９に進みＣＰＵ１０１は、メモリ１０２に異常個所が記憶されているかどうか判定する。ここで一つでも異常個所が記憶されている場合はＳ１１０に進みＣＰＵ１０１は、表示部１０３に異常個所を示す情報を表示する。一方、Ｓ１０９でＣＰＵ１０１は、メモリ１０２に異常個所が記憶されていないと判定した場合は、そのままこの処理を終了する。
【００４５】
以上説明したように実施形態１によれば、アナログ電圧を検出するＣＰＵの検出分解能を大きくせすることなく、アナログ電圧を検出する１ピンのみで複数のヒューズのいずれに異常があるかを検出することができる。
【００４６】
［実施形態２］
以下、本発明の異常判定回路及び異常判定方法を画像形成装置に適応した実施形態２について、図面を参照しつつ説明する。
【００４７】
前述の実施形態１では、ＣＰＵ１０１はアナログ電圧レベルの変化タイミングを検知することにより溶断しているヒューズを検出した。これに対して実施形態２では、アナログ電圧レベルの変化ではなく、デジタルのハイ、ローの信号のタイミングを検知することで溶断しているヒューズを検出する例で説明する。
【００４８】
図７は、実施形態２に係る画像形成装置の主要部のハードウェア構成を説明するブロック図である。尚、図７において、前述の実施形態１に係る図１の構成と共通する箇所は同じ参照番号を用いて、その説明を省略する。
【００４９】
電圧監視部１０４，１０５，１０６，１０７では、それぞれ実施形態１と同様に、監視電圧以上になるとそれぞれのトランジスタＱ１，Ｑ２，Ｑ３，Ｑ４がオンする。これらトランジスタがオンすると、各対応するワンショット回路７０１，７０２，７０３，７０４に電圧Ｖｃｃを入力する。
【００５０】
図８は、実施形態２に係るワンショット回路の動作を説明する図である。
【００５１】
ワンショット回路は、電圧監視部から入力される入力電圧が立ち上がり、その電圧が閾値電圧Ｖｔを超えると、そのワンショット回路の回路構成で規定される時間幅のワンパルスを出力する。図７のライン７００は、これらワンショット回路７０１〜７０４の出力ラインを接続してワイヤドＯＲ(wired OR)している。そしてＣＰＵ１０１は、このライン７００の電圧のハイレベル、ロウレベルを検知する。その他ブロックについては実施形態１と同じであるため、説明を省略する。
【００５２】
次に、実施形態２の特徴であるパルス信号の検知タイミングを用いて、溶断しているヒューズを特定する方法について図９及び図１０を参照して以下に説明する。
【００５３】
図９は、実施形態２において、いずれのヒューズも溶断していない場合に、電源装置１００が出力する電圧ＶｙとＣＰＵ１０１が検出するライン７００のパルス信号Ｖｐとの関係を説明する図である。
【００５４】
電源装置１００が起動すると、電圧Ｖｙはある程度スロープを持って徐々に高くなり、最終的に電圧値Ｖａで安定する。この電圧値Ｖａに達するまでの期間（時間）Ｔａは、電源装置１００である程度設定が可能であり、ＣＰＵ１０１は、予めこの期間Ｔａをメモリ１０２に記憶している。電圧Ｖｙが徐々に高くなってＶｙ＞Ｖ１となると、電圧監視部１０４のトランジスタＱ１がオンして、ワンショット回路７０１に電圧Ｖｃｃが出力される。これによりワンショット回路７０１は、ライン７００にワンパルスを出力する。このときのタイミングをＴ１とする。
【００５５】
同様に、Ｖｙ＞Ｖ２となったタイミングＴ２で、電圧監視部１０５のトランジスタＱ２がオンして、ワンショット回路７０２がライン７００にワンパルスを出力する。またＶｙ＞Ｖ３となったタイミングＴ３で、電圧監視部１０６のトランジスタＱ３がオンして、ワンショット回路７０３がライン７００にワンパルスを出力する。更に、Ｖｙ＞Ｖ４となったタイミングＴ４で、電圧監視部１０７のトランジスタＱ４がオンして、ワンショット回路７０４がライン７００にワンパルスを出力する。これらタイミングＴ１，Ｔ２，Ｔ３，Ｔ４は、Ｖａ，Ｔａ，Ｖ１，Ｖ２，Ｖ３，Ｖ４の値から推測が可能であり、ＣＰＵ１０１は、予めメモリ１０２にそれらの値を記録している。
【００５６】
ＣＰＵ１０１は、タイミングＴ１を起点として、Ｔ２，Ｔ３，Ｔ４それぞれのタイミングでパルスが発生するかを監視し、図３のように、全てのタイミングでパルスが発生すれば、いずれのヒューズも溶断していないと判定する。
【００５７】
図１０は、実施形態２において、ヒューズＦＵ１のみが溶断している場合のＶｙとVｐの関係を示す図である。
【００５８】
前述したように、ＣＰＵ１０１は、タイミングＴ１を起点として、Ｔ２，Ｔ３，Ｔ４それぞれのタイミングでパルスが発生するかを監視する。図１０の例では、タイミングＴ２でのみパルスが発生していないことが検知される。これは、タイミングＴ２で検出するはずである電圧監視部１０５が反応していないことになる。よってＣＰＵ１０１は、電圧監視部１０５の上流のヒューズＦＵ１が溶断していると判定して、表示部１０３にその旨を表示してユーザに故障個所を通知する。
【００５９】
尚、実施形態２における画像形成装置における異常箇所を特定する処理は、前述の実施形態１の図６のＳ１０５で電圧Ｖｘの変化を検出していたのを、実施形態２では、パルスを検出するかどうか判定することにより実現できる。その他の処理のステップは実施形態１と同様である。
【００６０】
以上説明したように実施形態２によれば、ワンショット回路を用いることでＣＰＵ１０１は、デジタル入力ポート１つのみでヒューズの異常個所を特定することができる。
【００６１】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００６２】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００６３】
１００…電源装置、１０１…ＣＰＵ、１０２…メモリ、１０３…表示部、１０４〜１０７…電圧監視部、１１４…タイマ、７０１〜７０４…ワンショット回路
【図１】
2020089138.tif 000003
【図２】
2020089138.tif 000004
【図３】
2020089138.tif 000005
【図４】
2020089138.tif 000006
【図５】
2020089138.tif 000007
【図６】
2020089138.tif 000008
【図７】
2020089138.tif 000009
【図８】
2020089138.tif 000010
【図９】
2020089138.tif 000011
【図１０】
2020089138.tif 000012